(57)【特許請求の範囲】
【請求項１】
建物の天井裏の空間に垂下された吊ボルトによって対象装置を天吊状態で支持する天吊構造であって、
前記建物の天井裏の構造体に取り付けられた前記吊ボルトと、
前記対象装置に固定され、前記吊ボルトが挿入される吊金具と、
前記吊ボルトを貫通させる筒状の下ゴムワッシャと、
前記吊ボルトを貫通させる筒部と、該筒部の内側に対向するように配置され、常態では挿入された前記吊ボルトと当接し、前記筒部が押し潰された状態では挿入された前記吊ボルトから離間する一対の凸部とを有し、前記下ゴムワッシャとは前記吊金具を挿入可能な間隔を空けて前記吊ボルトに仮止めされる上ゴムワッシャと、
前記下ゴムワッシャと前記上ゴムワッシャとの間隔を縮めて、前記下ゴムワッシャと前記上ゴムワッシャとの間に挿入された前記吊金具を、前記下ゴムワッシャと前記上ゴムワッシャとで挟み込む一対のナットと、を備えることを特徴とする天吊構造。
【請求項２】
前記吊金具は、前記吊ボルトを挿入可能な切り欠きを有することを特徴とする請求項１記載の天吊構造。
【請求項３】
前記凸部の厚さは、前記吊ボルトのねじのピッチ以下であることを特徴とする請求項１又は２記載の天吊構造。
【発明の詳細な説明】
【技術分野】
【０００１】
本発明は、建物内の天井裏に吊ボルトを介して対象装置を設置する天吊構造に関し、特に、簡単な構成でありながら吊ボルトへ吊り下げる際の作業性に優れた天吊構造に関する。
【背景技術】
【０００２】
従来、換気装置を吊り下げるための吊金具として、特許文献１に記載された吊り下げ装置が知られている。
【０００３】
特許文献１に記載の発明は、上から第１ワッシャ、第２ワッシャ、及び第２ナットを取り付けた吊ボルトに、吊金具を第１ワッシャと第２ワッシャとの間に取り付ける。この時、吊金具の上方に位置する第１ワッシャは自重により落ちやすいため、指で押さえていた。指で押さえる作業は作業者にとって煩わしい。
【０００４】
天吊換気装置の吊ボルトへの取り付けるにあたって、防振のためにゴムワッシャが用いられるが、ゴムワッシャに関しても同様の問題が発生する。
【０００５】
この問題を解決するために、特許文献２では、上から第１ナット、第１ワッシャ、第２ワッシャ及び第２ナットを取り付けた吊ボルトにおいて、吊下げ補助装置を第１ワッシャと第２ワッシャとの間に挟み込み、吊金具を挿入すると同時に吊下げ補助装置を抜き出して、第１ワッシャの落下を防止する。
【先行技術文献】
【特許文献】
【０００６】
【特許文献１】特開平０５−１４１６９８号公報
【特許文献２】特開２００２−１６２０９６号公報
【発明の概要】
【発明が解決しようとする課題】
【０００７】
しかしながら、上記従来の技術は、吊下補助装置という別部材が必要であり、部品点数が増え、コストが増大するという問題がある。また、予め吊下げ補助装置を組み込んだ施工を行う必要があり、施工時の手間があった。さらには本体竣工後吊下げ補助装置は必要なく、保管・管理・廃却の手間がかかっていた。
【０００８】
本発明は、上記に鑑みてなされたものであって、本体竣工後に不要となる部材を用いることなく吊ボルトへの吊り下げ作業の作業性を向上させた天吊構造を得ることを目的とする。
【課題を解決するための手段】
【０００９】
上述した課題を解決し、目的を達成するために、本発明は、建物の天井裏の空間に垂下された吊ボルトによって対象装置を天吊状態で支持する天吊構造であって、建物の天井裏の構造体に取り付けられた吊ボルトと、対象装置に固定され、吊ボルトが挿入される吊金具と、吊ボルトを貫通させる下ゴムワッシャと、吊ボルトを貫通させる筒部と、常態では挿入された吊ボルトと当接し、筒部が押し潰された状態では挿入された吊ボルトから離間する少なくとも一つの凸部とを有し、下ゴムワッシャとは吊金具を挿入可能な間隔を空けて吊ボルトに仮止めされる上ゴムワッシャと、下ゴムワッシャと上ゴムワッシャとの間隔を縮めて、下ゴムワッシャと上ゴムワッシャとの間に挿入された吊金具を、下ゴムワッシャと上ゴムワッシャとで挟み込む一対のナットと、を備えることを特徴とする。
【発明の効果】
【００１０】
本発明によれば、上ゴムワッシャが自重によって落下せず、下ゴムワッシャとの間に間隔を空けた状態で仮止めできるため、吊ボルトへの吊り下げ作業の作業性が向上するという効果を奏する。
【図面の簡単な説明】
【００１１】
【図１】図１は、本発明にかかる天吊構造の実施の形態としての天吊式換気装置の設置状態を示す図である。
【図２】図２は、実施の形態の天吊式換気装置の部分拡大図である。
【図３】図３は、吊金具の構成を示す図である。
【図４】図４は、吊金具を吊ボルトに取り付ける作業を示す図である。
【図５】図５は、第１ゴムワッシャの形状の一例を示す斜視図である。
【図６】図６は、第１ゴムワッシャの別の形状の一例を示す斜視図である。
【図７】図７は、吊ボルトを通した状態での第１ゴムワッシャの横断面図である。
【図８】図８は、吊ボルトを通した状態で、凸部の突出方向に対して垂直な方向から挟み込むように荷重を加えた第１ゴムワッシャの横断面図である。
【図９】図９は、第１ゴムワッシャの別の形状の一例を示す平面図である。
【図１０】図１０は、第１ゴムワッシャの別の形状の一例を示す縦断面図である。
【図１１】図１１は、吊ボルトを通した状態での第１ゴムワッシャの縦断面図である。
【発明を実施するための形態】
【００１２】
以下に、本発明にかかる天吊構造の実施の形態を図面に基づいて詳細に説明する。なお、この実施の形態によりこの発明が限定されるものではない。
【００１３】
実施の形態．
図１は、本発明にかかる天吊構造の実施の形態としての天吊式換気装置の設置状態を示す図である。図２は、実施の形態の天吊式換気装置の部分拡大図であり、図１のＡ部を示している。天吊式換気装置１は、天井４の裏に架け渡された梁２から垂下された４本の吊ボルト３を介して天井板５の上方に設置されている。天吊式換気装置１の側部には、吊ボルト３と連結するための吊金具１０が突設されている。
【００１４】
図３は、吊金具１０の構成を示す図である。吊金具１０は、天吊式換気装置１の外側ケーシングに固定された基部１０ｃから側方へ突出部１０ｂが突出するように連設したＬ字状断面の金属板であり、突出部１０ｂに略Ｕ字状の係止溝１０ａ（係止部）を切り欠いた構成となっている。係止溝１０ａに吊ボルト３を挿通し、吊金具１０を下から第２ナット６ｂで支持することにより、梁２に吊下げた状態で天吊式換気装置１を設置する。
【００１５】
天吊式換気装置１の吊下げ作業について説明する。図４は、吊金具１０を吊ボルト３に取り付ける作業を示す図である。上部が梁２に固定された吊ボルト３のそれぞれに第１ナット６ａ、第１ワッシャ７ａ、第１ゴムワッシャ（上ゴムワッシャ）１００ａ、第２ゴムワッシャ（下ゴムワッシャ）１００ｂ、第２ワッシャ７ｂ及び第２ナット６ｂを通す。この際、吊ボルト３の上部は梁２に固定されていることから、各部材は吊ボルト３の下側から通す。その後、第１ゴムワッシャ１００ａと第２ゴムワッシャ１００ｂとの間に吊金具１０の突出部１０ｂを矢印Ｂ方向から挿入する。この時、第１ゴムワッシャ１００ａには落下防止機能が備わっているため、自重により矢印Ｃ方向へ落下する心配は無く、第１ゴムワッシャ１００ａ、第２ゴムワッシャ１００ｂの間に吊金具１０を容易に挿入できる。第２ゴムワッシャ１００ｂの外形は係止溝１０ａの幅よりも大きいため、吊金具１０は第２ゴムワッシャ１００ｂの上に載った状態で支持される。第１ゴムワッシャ１００ａと第２ゴムワッシャ１００ｂとの間に吊金具１０を挿入した後、第１ナット６ａを締めることにより、第１ゴムワッシャ１００ａと第２ゴムワッシャ１００ｂとの間隔が狭くなり、吊金具１０は、第１ゴムワッシャ１００ａと第２ゴムワッシャ１００ｂとに突出部１０ｂが挟まれて固定される。
【００１６】
図５は、第１ゴムワッシャ１００ａの形状の一例を示す斜視図である。第１ゴムワッシャ１００ａは、吊ボルト３を通過させる穴を備えた筒状であり、内壁面には吊ボルト３と当接する凸部１００ｄが少なくとも一つ設けられている。第１ゴムワッシャ１００ａは、例えば円筒、楕円筒、多角筒状であり、吊ボルト３を通過させる穴の断面形状は、円形、楕円形、多角形などである。第１ゴムワッシャ１００ａは、凸部１００ｄが吊ボルト３と当接することによって、自重で落下することなく保持される。
【００１７】
図６は、第１ゴムワッシャ１００ａの別の形状の一例を示す斜視図である。第１ゴムワッシャ１００ａは円筒形状であり、内壁面からは中心に向かって凸部１００ｄが一対設けられている。一対の凸部１００ｄは、穴に関して対称に配置されている。
【００１８】
図７は、吊ボルト３を通した状態での第１ゴムワッシャ１００ａの横断面図である。図８は、吊ボルト３を通した状態で、凸部１００ｄの突出方向に対して垂直な方向（矢印Ｄ方向）から挟み込むように荷重を加えた第１ゴムワッシャ１００ａの横断面図である。凸部１００ｄの突出方向に対して垂直な方向から挟み込むように荷重を加えると、第１ゴムワッシャ１００ａが変形し、吊ボルト３と凸部１００ｄとの間に隙間１００ｅが形成され、吊ボルト３のネジ山とゴムワッシャ１００ａとの干渉が一時的に無くなり、吊ボルト３への挿入や移動が容易となる。
【００１９】
隙間１００ｅを利用して吊ボルト３を第１ゴムワッシャ１００ａに差し込んだ後、凸部１００ｄの突出方向に対して垂直な方向の荷重を解放すると、第１ゴムワッシャ１００ａは元の形状に復元して隙間１００ｅが無くなり、凸部１００ｄが吊ボルト３に当接する。これにより、吊ボルト３のネジ山と第１ゴムワッシャ１００ａとの干渉が復活し、第１ゴムワッシャ１００ａの自重による落下は防止される。
【００２０】
このように、第１ゴムワッシャ１００ａが、自身の弾性力によって吊ボルト３に支持されることにより、落下防止機能が実現される。第１ゴムワッシャ１００ａと吊ボルト３との接触は、凸部１００ｄのみであり、小面積での接触となるため、防振性が高くなる。
【００２１】
図９は、第１ゴムワッシャ１００ａの別の形状の一例を示す平面図である。図１０は、第１ゴムワッシャ１００ａの別の形状の一例を示す縦断面図であり、図９におけるＸ−Ｘ断面を示している。図１１は、吊ボルト３を通した状態での第１ゴムワッシャ１００ａの縦断面図である。凸部１００ｄは、肉厚が吊ボルト３のネジピッチ以下の薄肉となっており、吊ボルト３のネジの山同士の間に（すなわち谷に）差し込むことができ、吊ボルト３のネジ山３ａに引っかかりやすくなっている。また、凸部１００ｄが薄肉であるため、材料使用量を低減し、低コスト化を実現できる。
【００２２】
なお、上記の説明では吊金具１０に係止溝１０ａを切り欠く構成を例としたが、係止溝の代わりに貫通穴を設けても良い。この場合には、吊ボルト３に下側から第１ナット６ａ、第１ワッシャ７ａ、第１ゴムワッシャ１００ａを通した後に吊金具１０を通し、その後さらに、第２ゴムワッシャ１００ｂ、第２ワッシャ７ｂ及び第２ナット６ｂを通せばよい。
【００２３】
上記実施の形態は本発明の好適な実施の一例であり、本発明はこれに限定されることはない。例えば、換気装置や空調装置以外でも、吊ボルトに取り付けられる機器において使用されるゴムワッシャに上記同様の形状を持たせることも可能である。
【符号の説明】
【００２４】
１  天吊式換気装置
２  梁
３  吊ボルト
６ａ  第１ナット
６ｂ  第２ナット
７ａ  第１ワッシャ
７ｂ  第２ワッシャ
１０  吊金具
１０ａ  係止溝
１０ｂ  突出部
１０ｃ  基部
１００ａ  第１ゴムワッシャ
１００ｂ  第２ゴムワッシャ
１００ｄ  凸部
【図１】
0005562286.tif 000002
【図２】
0005562286.tif 000003
【図３】
0005562286.tif 000004
【図４】
0005562286.tif 000005
【図５】
0005562286.tif 000006
【図６】
0005562286.tif 000007
【図７】
0005562286.tif 000008
【図８】
0005562286.tif 000009
【図９】
0005562286.tif 000010
【図１０】
0005562286.tif 000011
【図１１】
0005562286.tif 000012